(57)【要約】【課題】    ＱＲコードから得られるメーカー側の情報は、商材のカタログ等で有る場合が多く、購入者であるユーザーとメーカー側、双方向の情報の提供、共有更には交換を簡単に行うことは困難であった。【解決手段】    ＱＲコードを予め印刷しておいたペット用タグをユーザーが購入しメーカー側へ携帯端末でアクセスし、メーカー側から発行されたＩＤパスワードを入力することにより、種々のペット用情報サービスが、メーカーのインターネットホームページでユーザーとメーカー間の双方向で情報の提供、共有更には交換が簡単に出来る。【選択図】  図１
2006209711.tif 000002
【特許請求の範囲】
【請求項１】
ペット用タグにおいて、メーカー側で各タグ毎に個別の登録申請番号を含んだメーカーのインターネットホームページ用アドレスをＱＲコードとして予め印刷しておき、該ＱＲコードを携帯端末によってユーザーがユーザー自身により、メーカー側サーバーを経由し、メーカー側において登録申請番号の確認後、データベースへの登録が行われた後、ＩＤパスワードの発行が行われる工程が有り、更に登録済の場合は、該データベースからＩＤパスワードを入力することで、ユーザー自身で設定した開示して良いレベルまでの様々なユーザー登録情報を携帯端末で自由に閲覧、書き込みを可能とし、更にはメーカー側のインターネットホームページ上で、種々のペット情報サービスが受けられることを特徴とするペット情報提供システム。
【請求項２】
ペット用タグが、迷子札又は首輪用タグであることを特徴とする請求項１に記載のペット情報提供システム。
【請求項３】
種々の登録内容が、ペットの名前、種類、生年月日、飼い主の名前、電話番号、住所、携帯メールアドレス、変更用パスワード又はペットの写真であることを特徴とする請求項１に記載のペット情報提供システム。
【請求項４】
種々のペット用情報サービスが、飼い主ソーシャルネットワーク、飼い主掲示板、飼い主日記、飼い主同士のチャット・コミュニティ、ペットお役立ち情報、ペット用辞典、ペットお悩み問題解決又は地域のペット病院情報であることを特徴とする請求項１に記載のペット情報提供システム。
【請求項５】
携帯端末が、携帯電話であることを特徴とする請求項１に記載のペット情報提供システム。
【発明の詳細な説明】
【技術分野】
【０００１】  本発明は、ペット情報提供システムに関し、ＱＲコードを用いることで、種々のペット情報サービスがインターネット上で、簡便に利用する事が出来ることを特徴とするペット情報提供システムに関するものである。
【背景技術】
【０００２】  最近、インターネットを用いた情報の提供や閲覧、更には商材の管理等をＱＲコード、いわゆる二次元コードで実用的に利用している。【０００３】  なお、この商材や広告等に印刷されたＱＲコードにおいては、携帯電話で撮影するだけで、メーカーのホームページに即座にたどり着く事が出来るものとして知られている。【０００４】  又、インターネットホームページ上で、例えばペットの飼い主が個人的に、愛犬家日記等を掲載したり、愛犬家掲示板等を開設している。
【発明の開示】
【発明が解決しようとする課題】
【０００５】  しかしながら、ＱＲコードでメーカーのホームページにたどり着いて得られる情報は、商材のカタログ等で有る場合が多く、ユーザー側からメーカー側へ、例えば迷子札のようなペット用タグとして飼い主情報等の購入内容等の情報を登録し、ＩＤパスワードを得た他のユーザーが閲覧したりするということは一般的に行われなかった。いわゆる双方向の情報の提供、共有更には交換を簡単に行うということは困難であった。
又、例えば愛犬家が個人的に愛犬家日記や愛犬家掲示板をインターネット上に開設していても、検索エンジン等を用いて他のユーザーの求める情報や内容が得られ、満たされるサイトであるとは限らなかった。
【課題を解決するための手段】
【０００６】  上記課題を解決するために本発明は、ペット用タグにおいて、メーカー側で各タグ毎に個別の登録申請番号を含んだメーカーのインターネットホームページ用アドレスをＱＲコードとして予め印刷しておき、該ＱＲコードを携帯端末によってユーザーがユーザー自身により、メーカー側サーバーを経由し、メーカー側において登録申請番号の確認後、データベースへの登録が行われた後、ＩＤパスワードの発行が行われる工程が有り、更に登録済の場合は、該データベースからＩＤパスワードを入力することで、ユーザー自身で設定した開示して良いレベルまでの様々なユーザー登録情報を携帯端末で自由に閲覧、書き込みを可能とし、更にはメーカー側のインターネットホームページ上で、種々のペット情報サービスが受けられるようにしておく。
本発明は以上のような構成からなるペット情報提供システムである。【０００７】  本発明は以上の構成であるから、ユーザーとメーカーとの双方向の情報の  提供、共有更には交換が簡単に行うことの出来るシステムとなる。
【発明の効果】
【０００８】  本発明のペット情報提供システムは以上のような構成であるため、ユーザーが購入したペット用タグのＱＲコードを携帯端末にて読み取るだけで、自動的にメーカー側のＷｅｂサイトへ購入内容等の情報が簡単に登録出来るものであり、その際に発行されるＩＤパスワード入力によって、メーカー側からの新製品の案内等のメールで情報を一方的に受け取るだけではなく、メーカーによって構築・開設されたＷｅｂサイトにある種々のペット情報サービスをユーザー自身が利用し、情報発信の出来る双方向なものとなる。
又、ペットが迷子になっても、ＱＲコードを携帯端末で読み取るだけでメーカーに登録したデータベースにＩＤパスワードを入力しなくても、迷子情報サイトを作成しておけば、発見者が問い合わせることが出来、飼い主の元に連絡が出来る。
【発明を実施するための最良の形態】
【０００９】  本発明でいうペット用タグは、迷子札、首輪用タグ等の用に犬や猫、主に犬用の首輪の金具部を利用して取り付けられるプラスチックス製のものが用いられるが、その形、取り付け方、材質、構造、製造方法等もなんら限定されるものではない。
又、ＱＲコード（登録商標）は、二次元コードとして知られているもので、携帯端末等のコード読み取り器で読み取るとＱＲコードに含まれるインターネットアドレスのホームページへ自動的にアクセス出来るものである。
なお、この携帯端末は、携帯電話を用いることが好ましい。
ペット用タグの購入者であるユーザーが購入後、携帯端末を用いてメーカー側サーバーのデータベースへ登録する種々の登録内容としては、ペットの名前、種類、生年月日、飼い主の名前、電話番号、住所、携帯メールアドレス、変更用パスワード又はペットの写真等があげられるが、用途に応じて追加登録されてもよい。
なお、ＩＤパスワードを入力することで、ユーザー自身が、閲覧、書き込み出来、受けられる種々のペット用情報サービスとしては、飼い主ソーシャルネットワーク、飼い主掲示板、飼い主日記、飼い主同士のチャット・コミュニティ、ペットお役立ち情報、ペット用辞典、ペットお悩み問題解決又は地域のペット病院情報等が含まれるが、ユーザーにとってより良いサービス情報が得られるものであれば、特に限定されず、新規サービスを授与出来るものである。
【実施例】
【００１０】  以下、本発明の一実施例を、図１で説明する。なお、図１はペット情報提供システムを説明するためのフローチャートである。【００１１】  犬用迷子札（１）の裏面に個別の登録申請番号を含んだメーカーのインターネットホームページ用のアドレスをＱＲコード（２）として予め印刷しておき、該ＱＲコードを、購入者であるユーザーが携帯電話にて読み取る（１０）。そして該アドレスへアクセス（１１）を行い、ユーザー情報が未登録の場合は、ユーザー自身が携帯電話を用いて、メーカー側サーバーを経由し種々の登録内容を登録するのであるが、この際メーカー側において、該登録申請番号の確認後（１２）新規登録（１３）として登録確認後（１４）、データベース（１６）へ、ペットの名前、種類、生年月日、飼い主の名前、電話番号、住所、  携帯メールアドレス、変更用パスワード又はペットの写真等を登録（１５）する。なお、この際、ユーザー自身で他の閲覧者に開示してよいレベルの設定もなされる。
そしてユーザーにＩＤパスワードがメーカー側から発行（１７）される。
又、登録後以降はメーカーのインターネットホームページへアクセスし、発行されたＩＤパスワードを入力（１８）することで、他のユーザーのペットの開示されている情報を表示・閲覧（１９）出来るのであるが、更にはメーカーのインターネットホームページ（２０）で、種々のペット用情報サービス（２１）が受けられる。
このペット用情報サービスとしては、愛犬家ソーシャルネットワーク、愛犬家掲示板、愛犬家日記、愛犬家同士のチャット・コミュニティ、ペットお役立ち情報、ペット用辞典、ペットお悩み問題解決又は地域のペット病院情報等があげられるが、呼び名等はこれによってなんら限定はされない。
一例として、愛犬家日記の場合は飼い犬の日々の出来事等をメーカーのホームページ上で、ユーザーである飼い主が日記として綴り、掲載出来るようにしておき、それに対して、他のＩＤパスワードを入手している閲覧者が、コメントや感想を書き入れる事が出来るようにし、コミュニケーションが取れるようにしたものである。
【図面の簡単な説明】
【図１】
【００１２】  図１は、本発明のペット情報提供システムを説明するためのフローチャートである。
【符号の説明】
１  犬用迷子札    ２  ＱＲコード    ３  ＱＲコードの読み取り
１１  アクセス    １２  個別の登録申請番号の確認    １３  新規登録
１４  登録確認    １５  データベースへ登録    １６  データベース
１７  ＩＤパスワードの発行    １８  ＩＤパスワードの入力
１９  登録情報の表示・閲覧    ２０  ホームページ
２１  ペット用情報サービス
【図１】
2006209711.tif 000003